(57)【要約】【課題】端末構成の更なる簡略化及び／又は低価格化等を図る。【解決手段】時刻記録端末３は、一定の距離内に位置する携帯通信端末と無線通信を行う近距離無線通信部３１、近距離無線通信部３１を介して、ユーザを識別する情報であるユーザＩＤと現在時刻（年月日時秒）とを表す時刻情報を携帯通信端末から取得し、取得した時刻情報を時刻情報記憶部３４に記録する制御部３０を備える。時刻記録端末３には、独自に時刻を計る内部タイマを備えなくても良く、情報をデータの形態で記録するため、紙送り機構、印字機構等も必要ない。これにより、時刻記録端末３の構成を簡略化し、コストを抑えることができる。【選択図】図３
2014044599.tif 000002
【特許請求の範囲】
【請求項１】
一定の距離内に位置する携帯通信端末と無線通信を行う通信手段と、
前記通信手段を介して、ユーザを識別する情報であるユーザ識別情報と現在時刻とを表す時刻情報を前記携帯通信端末から取得する時刻情報取得手段と、
前記取得した時刻情報をメモリに記録する時刻情報記録手段とを備える、
ことを特徴とする時刻記録端末。
【請求項２】
自端末を動作させるためのクロックをカウントするクロック計測手段と、
前記時刻情報を取得するイベントをカウントするイベント計測手段と、をさらに備え、
前記時刻情報記録手段は、前記時刻情報を取得したときにカウントされたクロックカウント値及びイベントカウント値を前記時刻情報とともに前記メモリに記録し、前記イベントカウント値に基づいて予め設定された数の前記時刻情報により表される時刻及び前記クロックカウント値から、前記予め設定された数の時刻情報の適否を判別するための関数式を求める、
ことを特徴とする請求項１に記載の時刻記録端末。
【請求項３】
前記時刻情報記録手段は、前記予め設定された数のクロックカウント値毎に、前記時刻情報により表される時刻と前記関数式により表される時刻との誤差が予め設定された閾値を超えるか否かを判別し、その判別結果に基づいて、前記時刻情報により表される時刻を補正する、
ことを特徴とする請求項２に記載の時刻記録端末。
【請求項４】
一定の距離内に位置する携帯通信端末と無線通信を行う通信部を介して、ユーザを識別する情報であるユーザ識別情報と現在時刻とを表す時刻情報を前記携帯通信端末から取得する時刻情報取得ステップと、
前記取得した時刻情報をメモリに記録する時刻情報記録ステップとを有する、
ことを特徴とする時刻記録方法。
【請求項５】
携帯通信端末と時刻記録端末とを備える時刻記録システムであって、
前記携帯通信端末は、
時刻を計る計時手段と、
ユーザを識別する情報であるユーザ識別情報が予め記録された識別情報記憶手段と、
一定の距離内に位置する前記時刻記録端末と無線通信を行う通信手段と、
ユーザの操作に従って、前記計時手段から現在時刻を取得する時刻取得手段と、
前記現在時刻と前記ユーザ識別情報とを表す時刻情報を、前記通信手段を介して前記時刻記録端末に送信する制御を行う時刻情報送信制御手段とを備え、
前記時刻記録端末は、
一定の距離内に位置する前記携帯通信端末と無線通信を行う通信手段と、
前記通信手段を介して、前記時刻情報を前記携帯通信端末から取得する時刻情報取得手段と、
前記取得した時刻情報をメモリに記録する時刻情報記録手段とを備える、
ことを特徴とする時刻記録システム。
【請求項６】
前記携帯通信端末は、
ユーザを認証する情報であるユーザ認証情報が予め記録された認証情報記憶手段と、
前記計時手段が計る時刻がユーザの操作に従って変更されたか否かを判別する変更操作判別手段と、
前記変更操作判別手段によって前記時刻が変更されたと判別した場合に、前記ユーザ認証情報を無効とするための処理を行う認証情報制御手段とをさらに備え、
前記時刻情報送信制御手段は、ユーザの操作に従って、前記ユーザ認証情報を含む前記時刻情報を前記時刻記録端末に送信し、
前記時刻記録端末は、
前記ユーザ識別情報と前記ユーザ認証情報とが予め対応付けて記録されたユーザ情報記憶手段をさらに備え、
前記時刻情報記録手段は、前記取得した時刻情報に含まれる前記ユーザ識別情報及び前記ユーザ認証情報と、前記ユーザ情報記憶手段に記録された前記ユーザ識別情報及び前記ユーザ認証情報との照合によって前記時刻情報の適否を判別し、その判別結果に基づいて、前記時刻情報を前記メモリに記録する、
ことを特徴とする請求項５に記載の時刻記録システム。
【請求項７】
前記時刻記録端末は、
自端末を動作させるためのクロックをカウントするクロック計測手段と、
前記時刻情報を取得するイベントをカウントするイベント計測手段と、をさらに備え、
前記時刻情報記録手段は、前記時刻情報を取得したときにカウントされたクロックカウント値及びイベントカウント値を前記時刻情報とともに前記メモリに記録し、前記イベントカウント値に基づいて予め設定された数の前記時刻情報により表される時刻及び前記クロックカウント値から、前記予め設定された数の時刻情報の適否を判別するための関数式を求める、
ことを特徴とする請求項５または６に記載の時刻記録システム。
【請求項８】
前記時刻情報記録手段は、前記予め設定された数のクロックカウント値毎に、前記時刻情報により表される時刻と前記関数式により表される時刻との誤差が予め設定された閾値を超えるか否かを判別し、その判別結果に基づいて、前記時刻情報により表される時刻を補正する、
ことを特徴とする請求項７に記載の時刻記録システム。
【発明の詳細な説明】
【技術分野】
【０００１】
本発明は、時刻記録端末、時刻記録方法、及び時刻記録システムに関する。
【背景技術】
【０００２】
企業等において勤務者の出退社時刻の記録にはタイムレコーダが使用されている。タイムレコーダは、高精度なタイマ機構の他、勤務者のタイムカードに出退社時刻を印字するための印字機構、印字機構にタイムカードを送るための紙送り機構等を備えている。
【０００３】
また近年、勤務者のほとんどがスマートフォン等の携帯通信端末を所有している。携帯通信端末は、ＮＴＰ（Network Time Protocol）やＧＰＳ（Global Positioning System）機能等を利用することにより携帯通信端末に内蔵されたタイマの時刻を正確に修正して保持する機能、Ｂｌｕｅｔｏｏｔｈ（登録商標。以下、同じ）やＲＦＩＤ（Radio Frequency Identification）等による近距離無線通信を行うための機能を備えたものが一般的に普及している。
【先行技術文献】
【特許文献】
【０００４】
【特許文献１】特開２００６−１８５２６７号公報
【発明の概要】
【発明が解決しようとする課題】
【０００５】
上述したように、従来のタイムレコーダ等の時刻記録端末は、端末構成が複雑であり、製造コストが高いという問題があった。
【０００６】
本発明は、この問題に鑑みてなされたものであり、端末構成の更なる簡略化及び／又は低価格化等を図ることができる、時刻記録端末、時刻記録方法、及び時刻記録システムを提供することを一つの目的とする。
また、本発明は、時刻記録端末と携帯通信端末とを有効に連携させることを他の目的とする。
【課題を解決するための手段】
【０００７】
本発明の第１の観点に係る時刻記録端末は、
一定の距離内に位置する携帯通信端末と無線通信を行う通信手段と、
前記通信手段を介して、ユーザを識別する情報であるユーザ識別情報と現在時刻とを表す時刻情報を前記携帯通信端末から取得する時刻情報取得手段と、
前記取得した時刻情報をメモリに記録する時刻情報記録手段とを備える、
ことを特徴とする。
【０００８】
また、自端末を動作させるためのクロックをカウントするクロック計測手段と、
前記時刻情報を取得するイベントをカウントするイベント計測手段と、をさらに備え、
前記時刻情報記録手段は、前記時刻情報を取得したときにカウントされたクロックカウント値及びイベントカウント値を前記時刻情報とともに前記メモリに記録し、前記イベントカウント値に基づいて予め設定された数の前記時刻情報により表される時刻及び前記クロックカウント値から、前記予め設定された数の時刻情報の適否を判別するための関数式を求めても良い。
【０００９】
また、前記時刻情報記録手段は、前記予め設定された数のクロックカウント値毎に、前記時刻情報により表される時刻と前記関数式により表される時刻との誤差が予め設定された閾値を超えるか否かを判別し、その判別結果に基づいて、前記時刻情報により表される時刻を補正しても良い。
【００１０】
本発明の第２の観点に係る時刻記録方法は、
一定の距離内に位置する携帯通信端末と無線通信を行う通信部を介して、ユーザを識別する情報であるユーザ識別情報と現在時刻とを表す時刻情報を前記携帯通信端末から取得する時刻情報取得ステップと、
前記取得した時刻情報をメモリに記録する時刻情報記録ステップとを有する、
ことを特徴とする。
【００１１】
本発明の第３の観点に係る時刻記録システムは、
携帯通信端末と時刻記録端末とを備える時刻記録システムであって、
前記携帯通信端末は、
時刻を計る計時手段と、
ユーザを識別する情報であるユーザ識別情報が予め記録された識別情報記憶手段と、
一定の距離内に位置する前記時刻記録端末と無線通信を行う通信手段と、
ユーザの操作に従って、前記計時手段から現在時刻を取得する時刻取得手段と、
前記現在時刻と前記ユーザ識別情報とを表す時刻情報を、前記通信手段を介して前記時刻記録端末に送信する制御を行う時刻情報送信制御手段とを備え、
前記時刻記録端末は、
一定の距離内に位置する前記携帯通信端末と無線通信を行う通信手段と、
前記通信手段を介して、前記時刻情報を前記携帯通信端末から取得する時刻情報取得手段と、
前記取得した時刻情報をメモリに記録する時刻情報記録手段とを備える、
ことを特徴とする。
【００１２】
また、前記携帯通信端末は、
ユーザを認証する情報であるユーザ認証情報が予め記録された認証情報記憶手段と、
前記計時手段が計る時刻がユーザの操作に従って変更されたか否かを判別する変更操作判別手段と、
前記変更操作判別手段によって前記時刻が変更されたと判別した場合に、前記ユーザ認証情報を無効とするための処理を行う認証情報制御手段とをさらに備え、
前記時刻情報送信手段は、ユーザの操作に従って、前記ユーザ認証情報を含む前記時刻情報を前記時刻記録端末に送信し、
前記時刻記録端末は、
前記ユーザ識別情報と前記ユーザ認証情報とが予め対応付けて記録されたユーザ情報記憶手段をさらに備え、
前記時刻情報記録手段は、前記取得した時刻情報に含まれる前記ユーザ識別情報及び前記ユーザ認証情報と、前記ユーザ情報記憶手段に記録された前記ユーザ識別情報及び前記ユーザ認証情報との照合によって前記時刻情報の適否を判別し、その判別結果に基づいて、前記時刻情報を前記メモリに記録しても良い。
【００１３】
また、前記時刻記録端末は、
自端末を動作させるためのクロックをカウントするクロック計測手段と、
前記時刻情報を取得するイベントをカウントするイベント計測手段と、をさらに備え、
前記時刻情報記録手段は、前記時刻情報を取得したときにカウントされたクロックカウント値及びイベントカウント値を前記時刻情報とともに前記メモリに記録し、前記イベントカウント値に基づいて予め設定された数の前記時刻情報により表される時刻及び前記クロックカウント値から、前記予め設定された数の時刻情報の適否を判別するための関数式を求めても良い。
【００１４】
また、前記時刻情報記録手段は、前記予め設定された数のクロックカウント値毎に、前記時刻情報により表される時刻と前記関数式により表される時刻との誤差が予め設定された閾値を超えるか否かを判別し、その判別結果に基づいて、前記時刻情報により表される時刻を補正しても良い。
【発明の効果】
【００１５】
本発明によれば、端末構成の更なる簡略化及び／又は低価格化等を図ることができ、時刻記録端末と携帯通信端末とを有効に連携させることができる。
【図面の簡単な説明】
【００１６】
【図１】本発明の実施の形態１に係る時刻記録システムの構成を示した図である。
【図２】図１に示した携帯通信端末の構成を示すブロック図である。
【図３】図１に示した時刻記録端末の構成を示すブロック図である。
【図４】本発明の実施の形態１に係る時刻記録システムにおいて出退社時刻を時刻記録端末に記録するときの動作を説明するためのフローチャートである。
【図５】（Ａ）は本発明の実施の形態１に係る時刻情報記憶部に順次記録される時刻情報を示す図である。（Ｂ）は（Ａ）に示した時刻情報をユーザＩＤ，年月日、時刻をキーにソートした時刻情報を示す図である。
【図６】本発明の実施の形態２に係るパスワード制御処理のフローチャートである。
【図７】本発明の実施の形態２に係る時刻記録システムにおいて出退社時刻を時刻記録端末に記録するときの動作を説明するためのフローチャートである。
【図８】本発明の実施の形態３に係る時刻情報記憶部に順次記録されるクロックカウント値、イベントカウント値、時刻情報を示す図である。
【図９】本発明の実施の形態３に係る時刻記録システムにおいて出退社時刻を時刻記録端末に記録するときの動作を説明するためのフローチャートである。
【図１０】時刻情報記憶部に記録されたクロックカウント値および時刻情報により表される時刻と、時刻情報の適否を判別するための関数式とを模式的に示した図である。
【発明を実施するための形態】
【００１７】
（実施の形態１）
本発明の実施の形態１について図面を用いて説明する。
【００１８】
はじめに、図１を参照して、時刻記録システムの構成を説明する。時刻記録システム１は、企業等において勤務者の出退社（入退室）時刻を記録するためのシステムである。時刻記録システム１は、携帯通信端末２と時刻記録端末３とから構成される。
【００１９】
携帯通信端末２は、勤務者が個々に所有するスマートフォン等の携帯端末である。携帯通信端末２は、例えば、ＧＰＳ衛星から受信した信号に基づいて、内蔵されたタイマ（図２に示すタイマ２９）の時刻を正確に修正して保持する。
【００２０】
一方、時刻記録端末３は、企業の通用門や執務室の入り口等に設置される固定端末である。時刻記録端末３は、携帯通信端末２と近距離無線通信を行い、携帯通信端末２から受信した時刻情報を記憶する。時刻情報は、携帯通信端末２を利用するユーザを識別するためのユーザＩＤと、ユーザが出社（入室）あるいは帰宅（退室）した時刻とを表す情報である。
【００２１】
次に、図２を参照して、図１に示した携帯通信端末２の構成を説明する。
携帯通信端末２は、制御部２０、マイク２１、スピーカ２２、表示部２３、操作部２４、公衆回線通信部２５、近距離無線通信部２６、ＧＰＳ受信部２７、記憶部２８、タイマ２９を備える。
【００２２】
制御部２０は、ＣＰＵ（Central Processing Unit)、ＲＡＭ（Random Access Memory)等から構成される。制御部２０は、記憶部２８に記憶されているプログラムを実行し、プログラムコードに基づいて、タイマ２９の時刻の修正や、近距離無線通信部２６を介して時刻記録端末３に時刻情報を送信する処理を行う。なお、これらの処理については後述する。
【００２３】
マイク２１は、音声通話等に使用されるものであり、外部から入力された音声信号を電気信号、さらに、ディジタル信号に変換し、制御部２０に供給する。
スピーカ２２は、音声通話等に使用されるものであり、制御部２０から受け取った音声信号を空気振動に変換して放音する。
表示部２３は、液晶表示素子等から構成され，種々の情報を表示する。
操作部２４は、テンキー、通話キー等の操作ボタンから構成される。操作部２４は、ユーザの各種操作（指示）に対応する操作信号を制御部２０に入力する。
公衆回線通信部２５は、制御部２０の制御に従って、近隣の基地局と無線通信を行って、この携帯通信端末２と他の通信装置との間の音声通話、インターネットアクセス等を行う。
【００２４】
近距離無線通信部２６は、例えば、Ｂｌｕｅｔｏｏｔｈ（登録商標）規格に準拠して、近隣の時刻記録端末３と近距離無線通信を行う。
ＧＰＳ受信部２７は、ＧＰＳ衛星から送信されたＧＰＳ信号を受信し、これを制御部２０に供給する。
【００２５】
記憶部２８は、制御部２０が実行する種々のプログラムを記憶する。記憶部２８は、電話やインターネット等の通常の通信処理を行うためのプログラムの他、タイマ２９の時刻の修正や、近距離無線通信部２６を介して時刻記録端末３に時刻情報を送信する処理を行うためのプログラムを記憶する。
また、記憶部２８には、この携帯通信端末２を所有するユーザ（勤務者）を識別するためのユーザＩＤを記憶する。
【００２６】
タイマ２９は、ＲＴＣ（Real Time Clock)から構成される。タイマ２９は、現在の時刻（月日時分秒）を計時する。タイマ２９によって計時される時刻は、制御部２０の制御のもと、ＧＰＳ受信部２７で受信したＧＰＳ信号に基づいて修正される。なお、制御部２０は、ＮＴＰ（Network Time Protocol）を利用してタイマ２９の時刻を修正しても良い。
【００２７】
つづいて、図３を参照して、図１に示した時刻記録端末３の構成を説明する。
時刻記録端末３は、制御部３０、近距離無線通信部３１、操作部３２、記憶部３３、時刻情報記憶部３４、発振回路３５、ＵＳＢアダプタ３６を備える。
【００２８】
制御部３０は、ＣＰＵ、ＲＡＭ等から構成される。制御部３０は、記憶部３３に記憶されているプログラムを実行し、プログラムコードに基づいて、近距離無線通信部３１を介して携帯通信端末２から時刻情報を受信する処理を行う。なお、この処理については後述する。
【００２９】
近距離無線通信部３１は、例えば、Ｂｌｕｅｔｏｏｔｈ（登録商標）規格に準拠して、近隣の携帯通信端末２と近距離無線通信を行う。
【００３０】
操作部３２は、操作ボタンから構成され、ユーザの各種操作（指示）に対応する操作信号を制御部３０に入力する。
【００３１】
記憶部３３は、制御部３０が実行する種々のプログラムを記憶する。記憶部３３は、近距離無線通信部３１を介して携帯通信端末２から時刻情報を受信する処理を行うためのプログラムを記憶する。また、記憶部３３には、ユーザを識別するための情報としてユーザＩＤを記録するとともに、ユーザの氏名、部署、携帯通信端末２の電話番号、メールアドレス等を記録しても良い。
【００３２】
時刻情報記憶部３４は、携帯通信端末２から受信した時刻情報を記憶する。時刻情報記憶部３４は、図５（Ａ）に示すように、携帯通信端末２から受信した時刻情報を、順次記憶する。
【００３３】
発振回路３５は、制御部３０（ＣＰＵ）に動作クロックを供給する。
【００３４】
ＵＳＢアダプタ３６は、ＵＳＢメモリ３７が着脱可能に接続される。制御部３０は、ＵＳＢアダプタ３６を介してＵＳＢメモリ３７にデータを書き込み、又は、ＵＳＢメモリ３７に記憶されているデータを読み出す。
【００３５】
上記の各構成を備える時刻記録システム１を利用するための前提として、携帯通信端末２の記憶部２８には、ユーザＩＤと、時刻情報を送信するためのプログラムとが記録されていることが必要となる。また、携帯通信端末２の記憶部２８には、時刻記録端末３との近距離無線通信が可能となるようにＢｌｏｏｔｈプロファイルが記録される。これらの初期設定がされることにより、ユーザは、携帯通信端末２を用いて自身の出退社時刻を時刻記録端末３に記録することができる。なお、携帯通信端末２の記憶部２８に記録されるユーザＩＤは、時刻記録システム１の管理者によって登録されても良い。また、時刻記録端末３の記憶部３３には、システム管理者によって、ユーザＩＤの他に、ユーザの氏名、部署、携帯通信端末２の電話番号、メールアドレス等が登録されても良い。
【００３６】
以下、図４を参照して、ユーザの出退社時刻を時刻記録端末３に記録するときの動作を説明する。
【００３７】
ユーザは、出社時（入室時）あるいは帰宅時（退室時）に、時刻記録端末３の近傍で、携帯通信端末２の操作部２４を介して所定の接続操作を行う。
【００３８】
制御部２０は、この接続操作に応答して時刻情報送信処理を開始する。制御部２０は、記憶部２８からＢｌｕｅｔｏｏｔｈプロファイルを読み出し、このプロファイルに従って、近距離無線通信部２６を介して時刻記録端末３とネゴシエーションを行い、時刻記録端末３と通信状態を確立する（ステップＳ１０１）。
【００３９】
つづいて、制御部２０は、記憶部２８からユーザＩＤを読み出し、タイマ２９で計時されている現在時刻（年月日時分秒）を取得する。制御部２０は、ユーザＩＤと現在時刻とを含む時刻情報を、近距離無線通信部２６を介して時刻記録端末３に送信する（ステップＳ１０２）。以上により、時刻情報送信処理は終了する。
【００４０】
一方、時刻記録端末３の制御部３０は、電源投入中は、携帯通信端末２からの接続要求を待機する（ステップＳ２０１）。制御部３０は、携帯通信端末２からの接続要求に従って、近距離無線通信部３１を介して、その携帯通信端末２とネゴシエーションを行い、通信状態を確立する。
【００４１】
その後、制御部３０は、時刻情報を待ち受ける待受状態となる（ステップＳ２０２）。制御部３０は、携帯通信端末２がステップＳ１０２で送信した時刻情報を受信すると、受信した時刻情報を時刻情報記憶部３４に記録する（ステップＳ２０３）。以上により、１回の時刻情報記録処理は終了し、その後、制御部３０は、ステップＳ２０１にリターンする。
【００４２】
そして、各ユーザ（勤務者）が入退社時に上記の動作を行う結果、時刻記録端末３の時刻情報記憶部３４には、図５（Ａ）に示すように、時刻情報が順次記録される。
【００４３】
なお、勤務時間中の外出、または、外出先からの帰社のように、通常の出退社時刻とは異なる時刻を記録することが必要となる場合もある。このような場合、例えば、上記の時刻情報に出退社時刻とは異なる旨（例外）を示すフラグ情報を追加したものを時刻情報記憶部３４に記録してもよい。フラグ情報は、ユーザが操作部２４を操作することにより入力される。フラグ情報の入力は、例えば、ユーザが時刻記録端末３の近傍で上記接続操作を行う前、接続操作時の何れでも良い。制御部２０は、操作部２４を介して入力されたフラグ情報、ユーザＩＤ及び現在時刻を有する時刻情報を時刻記録端末３に送信する。
また、この場合、時刻記録端末３の制御部３０は、携帯通信端末２から受信したフラグ情報を含む時刻情報を時刻情報記憶部３４に記録する。
【００４４】
システム管理者は、時刻記録端末３のＵＳＢアダプタ３６にＵＳＢメモリ３７を差し込み、操作部３２を介して、時刻情報記憶部３４に記録された時刻情報をＵＳＢメモリ３７に移動する操作を行う。この操作に応答して、制御部３０は、時刻情報記憶部３４に記憶されている時刻情報を、図５（Ｂ）に示すように、ユーザＩＤ，年月日、時刻をキーにソートしてＵＳＢメモリ３７に書き込む。
その後、システム管理者は、ＵＳＢメモリ３７を取り外し、自己の端末等で必要な処理を行う。
【００４５】
以上、本実施の形態によれば、時刻記録端末３は、ユーザが出退社する際に携帯通信端末２のタイマ２９で計時された時刻を表す時刻情報を記録するので、独自に内部時計を備えなくても良い。また、情報をデータの形態で記録するため、紙送り機構、印字機構等も必要ない。これにより、時刻記録端末３の構成を簡略化し、コストを抑えることができる。また、個人の識別に携帯通信端末２を使用するため、ＩＣカード等を別個に発行する必要がない。そのため、時刻記録端末３、時刻記録システム１の構成の簡略化及び／又は低価格化を実現できる。
【００４６】
（実施の形態２）
上記の実施の形態１においては、ユーザが悪意をもって携帯通信端末２のタイマ２９の時刻を不当に修正した場合に、ユーザの入退室時刻を時刻記録端末３に正確に記録できないという問題が生じることが考えられる。以後、この問題の対策を施した実施の形態２を説明する。
【００４７】
携帯通信端末２及び時刻記録端末３の構成は、上記実施形態１において説明したものと以下の点で異なる。
【００４８】
携帯通信端末２の記憶部２８には、ユーザＩＤとともにパスワードＰＷを記憶する。パスワードＰＷは、恒久的なパスワードを使用することも可能であるが、ここでは、時刻情報を記録する１回のイベントにのみ有効なワンタイムパスワードを使用する。
【００４９】
時刻記録システム１を利用するために行われる初期設定において、記憶部２８には、システム管理者によって設定されたパスワードＰＷが記録される。パスワードＰＷは、携帯通信端末２から時刻記録端末３に時刻情報を記録するイベントを行うときに使用される。また、パスワードＰＷは、イベントが正常に行われる度に、時刻記録端末３によって新規に提供されるパスワードＰＷに更新される。
【００５０】
また、制御部２０は、タイマ２９によって計時される時刻が、ユーザによる操作部２４の操作によって変更されたか否かを判別する処理を行う。制御部２０は、この判別結果に基づいて記憶部２８に記録されたパスワードＰＷを変更または消去等によって無効にする処理を行う。
【００５１】
一方、時刻記録端末３の記憶部３３には、ユーザＩＤとパスワードＰＷとを対応付けて記憶する。
【００５２】
また、制御部３０は、携帯通信端末２から受信した時刻情報に含まれるユーザＩＤ及びパスワードＰＷと、記憶部３３に記録されたユーザＩＤ及びパスワードＰＷとの照合によって時刻情報の適否を判別する処理を行う。
【００５３】
上記のように構成された時刻記録システム１において実行される処理を説明する。
【００５４】
図６を参照して、携帯通信端末２の電源が投入されたときに制御部２０によって断続的に実行されるパスワード制御処理を説明する。
【００５５】
制御部２０は、操作部２４が操作され、タイマ２９の時刻がマニュアル操作などで変更されたか否かを判別する（ステップＳ３０１）。操作部２４の操作が無いときや、操作部２４の操作があってもタイマ２９の時刻が変更されていない場合には（ステップＳ３０１；Ｎｏ）、ステップＳ３０１にリターンし、次の判別タイミングまで待機する。
【００５６】
一方、ユーザによる操作部２４の操作によってタイマ２９の時刻が変更された場合には（ステップＳ３０１；Ｙｅｓ）、制御部２０は、記憶部２８に記録されているパスワードＰＷ１を消去又は変更することにより無効にし（ステップＳ３０３）、パスワード制御処理を終了する。
【００５７】
次に、図７を参照して、ユーザの出退社時刻を時刻記録端末３に記録するときの動作を説明する。
【００５８】
上記実施形態１と同様、ユーザが携帯通信端末２の操作部２４を介して行う所定の接続操作に従って、制御部２０は、時刻記録端末３と通信状態を確立する（ステップＳ１０１）。制御部２０は、記憶部２８からユーザＩＤ及びパスワードＰＷを読み出し、タイマ２９で計時されている現在時刻を取得する。制御部２０は、ユーザＩＤ、パスワードＰＷ、及び現在時刻を含む時刻情報を時刻記録端末３に送信する（ステップＳ１０２）。その後、制御部２０は、時刻記録端末３からの応答を待機する（ステップＳ４０１）。
【００５９】
一方、時刻記録端末３の制御部３０は、上記実施形態１と同様、携帯通信端末２と通信状態を確立し（ステップＳ２０１）、時刻情報を待ち受ける待受状態となる（ステップＳ２０２）。
【００６０】
その後、制御部３０は、携帯通信端末２から送信された時刻情報を受信すると、受信した時刻情報により表されるユーザＩＤ及びパスワードＰＷと、記憶部３３に記録されたユーザＩＤ及びパスワードＰＷとの照合によって時刻情報の適否を判別する（ステップＳ５０１）。制御部３０は、ユーザＩＤ及びパスワードＰＷが互いに一致する場合に「適正」と判別し、不一致の場合に「不適」と判別する。
【００６１】
ステップＳ５０１において「適正」と判別された場合、制御部３０は、受信した時刻情報により表されるユーザＩＤ及び時刻を時刻情報記憶部３４に記録する（ステップＳ５０２）。
【００６２】
その後、制御部３０は、新規にパスワードＰＷを生成し、これをユーザＩＤと対応付けて記憶部３３に記録する。また、制御部３０は、新規に生成したパスワードＰＷを応答結果として、近距離無線通信部３１を介して、通信中の携帯通信端末２に送信する。
【００６３】
一方、ステップＳ５０１において「不適」と判別された場合、制御部３０は、受信した時刻情報により表されるユーザＩＤ及び時刻を時刻情報記憶部３４に記録せず、所定のメッセージデータを応答結果として、通信中の携帯通信端末２に送信する（ステップＳ５０４）。
【００６４】
ステップＳ５０３又はステップＳ５０４の処理後、制御部３０は、ステップＳ２０１にリターンする。
【００６５】
一方、携帯通信端末２の制御部２０は、ステップＳ４０２において、時刻記録端末３からの応答結果がパスワードＰＷだった場合、記憶部２８に記録されたパスワードＰＷを更新する（ステップＳ４０３）。
【００６６】
一方、ステップＳ４０２において、制御部２０は、応答結果がメッセージデータだった場合、受信したメッセージデータを再生する（ステップＳ４０４）。例えば、この場合、「ユーザの操作によって時刻が変更されたため、出退社時刻の記録が行われませんでした。所轄部門の担当者にお問い合わせください」等の内容をスピーカ２２や表示部２３を介してユーザに通知する。
【００６７】
ステップＳ４０３又はステップＳ４０４の処理後、制御部２０は、時刻情報送信処理を終了する。
【００６８】
以上、本実施の形態によれば、携帯通信端末２の操作部２４を介してタイマ２９によって計時されている時刻が変更された場合には、ユーザ認証を行うためのパスワードＰＷが消去又は変更等によって無効にされ、その携帯通信端末２から送信される時刻は時刻記録端末３の記憶部３３に記録されない。そのため、記録される時刻の信頼性を一定以上に保ちつつ、時刻記録端末３、時刻記録システム１の構成の簡略化及び／又は低価格化を実現できる。
【００６９】
（実施の形態３）
上記の実施の形態１または２においては、携帯通信端末２のタイマ２９が故障等によって時刻を正確に計時できない場合に、ユーザの入退室時刻を時刻記録端末３に正確に記録できないという問題が生じることが考えられる。以後、この問題の対策を施した実施の形態３を説明する。
【００７０】
携帯通信端末２及び時刻記録端末３の構成は、上記実施形態１において説明したものと以下の点で異なる。
【００７１】
時刻記録端末３の制御部３０は、発振回路３５によって発振される時刻記録端末３のＣＰＵの動作に使用されるクロックをカウントする処理を行う。また、制御部３０は、携帯通信端末２から時刻情報を取得するイベントをイベント毎にカウント（インクリメント）する処理を行う。
【００７２】
また、制御部３０は、携帯通信端末２から時刻情報を取得したときにカウントされたクロックカウント値Ｘ及びイベントカウント値ｉを、図８に示すように、受信した時刻情報とともに時刻情報記憶部３４に記録する処理を行う。
【００７３】
制御部３０は、時刻情報記憶部３４に記録されたイベントカウント値ｉを基に、直近のもの（イベントカウント値ｉが最大のもの）から予め設定された数（例えば１０）の時刻情報とクロックカウント値Ｘを読み出す。制御部３０は、読み出した時刻情報によりそれぞれ表される時刻Ｙ及びクロックカウント値Ｘから、時刻Ｙとクロックカウント値Ｘの相関関数Ｆを求める。なお、相関関数Ｆについて、なお、ここでは以下の式（１）で示される１次回帰直線を求めるが、その他の相関関数Ｆを求めても良い。
【００７４】
【数１】
2014044599.tif 000003
【００７５】
制御部３０は、求めた相関関数により、各時刻情報により表される時刻の適否を判別し、その判別結果に基づいて時刻を補正する処理を行う。
【００７６】
上記のように構成された時刻記録システム１において、図９を参照して、ユーザの出退社時刻を時刻記録端末３に記録するときの動作を説明する。
【００７７】
上記実施形態１と同様、ユーザが携帯通信端末２の操作部２４を介して行う所定の接続操作に従って、制御部２０は、時刻記録端末３と通信状態を確立し（ステップＳ１０１）、ユーザＩＤ及び現在時刻を含む時刻情報を時刻記録端末３に送信する（ステップＳ１０２）。
【００７８】
一方、時刻記録端末３の制御部３０は、上記実施形態１と同様、ステップＳ２０１及びステップＳ２０２の処理を行い、携帯通信端末２から送信された時刻情報を時刻情報記憶部３４に記録する（ステップＳ２０３）。このとき、制御部３０は、時刻情報とともに、時刻情報を受信したときにカウントされたクロックカウント値Ｘ及びイベントカウント値ｉを時刻情報記憶部３４に記録する。
【００７９】
制御部３０は、時刻情報記憶部３４に記録されたイベントカウント値ｉを基に、直近（イベントカウント値ｉが最大のもの）から予め設定された数（例えば１０）の時刻情報により表される時刻Ｙとクロックカウント値Ｘを読み出し、上記の１次回帰直線を求める（ステップＳ６０１）。
【００８０】
制御部３０は、読み出したクロックカウント値Ｘ毎に、クロックカウント値Ｘに対応する時刻情報により表される時刻Ｙと１時回帰直線により表される時刻との差を求め、その差が予め設定された閾値（許容値）Ｔｅｍａｘを超えるか否かを判別する（ステップＳ６０２）。制御部３０は、閾値（許容値）Ｔｅｍａｘを超えていない場合に「適正」と判別し、超えている場合に「不適」と判別する。
【００８１】
例えば、図１０に示す符号ｅ１、ｅ２の各クロックカウント値Ｘに対応する時刻Ｙは、相関関数Ｆにより表されるクロックカウント値Ｘに対応する時刻との差が閾値（±Ｔｅｍａｘ）を超えているので、これらは制御部３０によって「不適」と判別される。一方、それ以外の時刻Ｙは、制御部３０によって「適正」と判別される。
【００８２】
制御部３０は、ステップＳ６０２において「不適」と判別された時刻Ｙ（図１０に示すｅ１，ｅ２）について補正を行う（ステップＳ６０３）。例えば、相関関数Ｆと閾値（±Ｔｅｍａｘ）とから求められる限界線（図１０に示す破線）のうち、不適と判別された時刻Ｙは、その時刻Ｙに近い限界線上にシフトするように補正を行う。例えば、符号ｅ１によって表される時刻Ｙは、相関関数Ｆ−Ｔｅｍａｘの限界線上（符号ｃ１によって表される時刻）にシフトされ、符号ｅ２によって表される時刻Ｙは、相関関数Ｆ＋Ｔｅｍａｘの限界線上（符号ｃ２によって表される時刻）にシフトされる。
【００８３】
その後、制御部３０は、補正された各時刻Ｙ’を時刻情報記憶部３４に記録し、時刻情報を更新する（ステップＳ６０４）。
【００８４】
一方、制御部３０は、ステップＳ６０２において、読み出した全てのクロックカウント値Ｘに対応する時刻Ｙについて「適正」と判別された場合は補正を行わない。
【００８５】
ステップＳ６０２又はステップＳ６０４の処理後、制御部３０は、ステップＳ２０１にリターンする。
【００８６】
以上、本実施の形態によれば、携帯通信端末２のタイマ２９が故障等によって計時されている正確な時刻が計時されていない場合であっても、時刻記録端末３において記録されている過去の複数の時刻情報を基に時刻を補正できる。そのため、記録される時刻の信頼性を一定以上に保ちつつ、時刻記録端末３、時刻記録システム１の構成の簡略化及び／又は低価格化を実現できる。
【００８７】
なお、上記ステップＳ６０１乃至ステップＳ６０４の処理は、携帯通信端末２から時刻情報を取得するイベント毎に行わなくても良く、所定数のイベント毎、または予め設定された時間毎に行っても良い。
【００８８】
また、携帯通信端末２の制御部２０は、時刻記録端末３に時刻情報を送信したあと、時刻記録端末３によって判別される時刻情報の適否の結果を待機しても良い。この場合、携帯通信端末２が送信した時刻情報により表される時刻が、上記ステップＳ６０２において「不適」と判別された場合には、時刻記録端末３の制御部３０は、通信中の携帯通信端末２に「時刻の補正が行われました。タイマ２９が故障しているおそれがあるので所轄部門の担当者にお問い合わせください」等の内容を表すメッセージデータが送信される。一方、上記ステップＳ６０２において「適正」と判別された場合には、時刻記録端末３の制御部３０は、通信中の携帯通信端末２に「時刻が正常に記録されました。」等の内容を表すメッセージデータを送信する。
【００８９】
また、上記ステップＳ６０２において過去の時刻情報により表される時刻が「不適」と判別された場合には、その時刻情報を送信した携帯通信端末２に対して、時刻情報により表されるユーザＩＤを基に特定されるメールアドレス等を指定し、所定のメッセージデータを送信しても良い。例えば、図１０に示す符号ｅ１に対応する時刻情報を送信した携帯通信端末２には、「時刻の補正が行われました。タイマ２９が故障しているおそれがあるので所轄部門の担当者にお問い合わせください」等の内容を表すメッセージデータが近距離無線通信以外の通信手段によって送信される。
【００９０】
以上、好ましい実施形態により本発明を説明したが、本発明は、これらの実施形態に限定されるものではなく、特許請求の範囲内において任意に変更することが可能である。例えば、各実施形態における任意的構成は適宜省略することが可能であり、或いは、一の実施形態における一部又は全部の構成を他の実施形態に追加することも可能である。
【００９１】
本発明は、企業等における勤務者の出社、退社時刻の記録に特に好適に使用することができるが、本発明はこれを目的とする時刻記録システム、時刻記録方法及び／又は時刻記録端末に限定されるのではなく、これ以外の任意の目的のために時刻の記録を行う時刻記録システム、時刻記録方法及び／又は時刻記録端末に適用可能である。
【符号の説明】
【００９２】
１  時刻記録システム
２  携帯通信端末
３  時刻記録端末
２０  制御部
２１  マイク
２２  スピーカ
２３  表示部
２４  操作部
２５  公衆回線通信部
２６  近距離無線通信部
２７  ＧＰＳ受信部
２８  記憶部
２９  タイマ
３０  制御部
３１  近距離無線通信部
３２  操作部
３３  記憶部
３４  時刻情報記憶部
３５  発振回路
３６  ＵＳＢアダプタ
３７  ＵＳＢメモリ
【図１】
2014044599.tif 000004
【図２】
2014044599.tif 000005
【図３】
2014044599.tif 000006
【図４】
2014044599.tif 000007
【図５】
2014044599.tif 000008
【図６】
2014044599.tif 000009
【図７】
2014044599.tif 000010
【図８】
2014044599.tif 000011
【図９】
2014044599.tif 000012
【図１０】
2014044599.tif 000013